(57)【要約】【課題】第１及び第２のコネクタの接続が解除された場合でも、その再接続を確実に防止することのできるコネクタを提供する。【解決手段】第１及び第２の各コネクタ１０，２０の接続を解除しようとした場合には、第１のコネクタ１０の第１のハウジング１２にコネクタ抜去方向への引張力を加えると、第１のハウジング１２を第２のハウジング１３に対してコネクタ抜去方向の所定位置まで移動させるとともに、第１のハウジング１２を第２のコネクタ２０の各端子２１との接続位置へ移動不能にロックするようにしたので、第１のコネクタ１０を第２のコネクタ２０から抜去して嵌合を解除した後、再度第２のコネクタ２０に嵌合しても、第１のコネクタ１０の第１のハウジング１２をコネクタ嵌合方向に移動させることができず、第１のコネクタ１０の各端子１１を第２のコネクタ２０の各端子２１に接続することが不可能となる。【選択図】図１４
2005150015.tif 000002
【特許請求の範囲】
【請求項１】
複数の端子を雄型のハウジングで保持してなる第１のコネクタと、第１のコネクタの各端子にそれぞれ接続される複数の端子を雌型のハウジングで保持してなる第２のコネクタとを備え、第１のコネクタのハウジングと第２のコネクタのハウジングとを嵌合することにより、第１のコネクタの各端子と第２のコネクタの各端子とを接続するようにしたコネクタにおいて、
前記第１のコネクタのハウジングを、第１のコネクタの各端子を保持する第１のハウジングと、第２のコネクタのハウジングと嵌合する第２のハウジングとから構成し、
第１のハウジングを第２のハウジングにコネクタ着脱方向に移動自在に係合するとともに、
第１のコネクタには、第１のハウジングを第２のハウジングに対してコネクタ抜去方向の所定位置まで移動させると、第１のハウジングを第２のコネクタの各端子との接続位置へ移動不能にロックするロック手段を設けた
ことを特徴とするコネクタ。
【請求項２】
前記ロック手段を、第１及び第２のハウジングの一方に固定されるとともに、第１のハウジングがコネクタ抜去方向の前記所定位置まで移動すると、第１及び第２のハウジングの他方に係止して第１のハウジングの移動を規制する係止部材によって形成し、
係止部材を第１及び第２のハウジングの互いに対向する内側面と外側面との間に配置した
ことを特徴とする請求項１記載のコネクタ。
【請求項３】
前記係止部材を、第１のハウジングがコネクタ抜去方向の前記所定位置まで移動すると、その一部が所定方向に変位して第１及び第２のハウジングの他方に係止するように弾性変形可能に形成した
ことを特徴とする請求項２記載のコネクタ。
【請求項４】
前記第１のコネクタの第２のハウジングと第２のコネクタのハウジングに、第１及び第２のコネクタの嵌合時に互いに係合するとともに、少なくとも第１のハウジングを第２のハウジングに対してコネクタ抜去方向の前記所定位置まで移動させる引張力に抗して係合状態を保持可能な係合部を設けた
ことを特徴とする請求項１、２または３記載のコネクタ。
【請求項５】
前記係合部を、第１のコネクタの第２のハウジングと第２のコネクタのハウジングの一方に設けた突部とその他方に設けた孔とから形成し、
突部及び孔をハウジングの弾性変形により互いに係合可能に設けた
ことを特徴とする請求項４記載のコネクタ。
【請求項６】
前記第１のコネクタの第１のハウジングに、第２のコネクタのハウジングに係止することにより第１のハウジングと第２のコネクタのハウジングとを嵌合状態でロックするロック部材を設けるとともに、
第１のコネクタの第２のハウジングにはロック部材との係止によりコネクタ抜去方向への移動を規制する係止部を設け、
ロック部材を、第２のコネクタのハウジングとの係止状態を解除するように操作すると、第１のコネクタの第２のハウジングの前記係止部との係止状態が解除されるように形成した
ことを特徴とする請求項１、２、３、４または５記載のコネクタ。
【発明の詳細な説明】
【技術分野】
【０００１】
本発明は、各種電気機器等のケーブルや回路基板を接続するためのコネクタに関するものである。
【背景技術】
【０００２】
従来、この種のコネクタとしては、複数の端子を雄型のハウジングで保持してなる第１のコネクタと、第１のコネクタの各端子にそれぞれ接続される複数の端子を雌型のハウジングで保持してなる第２のコネクタとを備え、第１のコネクタのハウジングと第２のコネクタのハウジングとを嵌合することにより、第１のコネクタの各端子と第２のコネクタの各端子とを接続するようにしたものが知られている（例えば、特許文献１参照。）。
【０００３】
また、前記コネクタでは、一方のコネクタのハウジングに設けた弾性変形可能なロック片を他方のコネクタのハウジングに係止することにより、各ハウジングを嵌合状態でロックするようにしている。
【特許文献１】特開２００２−２０３６３５号公報
【発明の開示】
【発明が解決しようとする課題】
【０００４】
ところで、前記コネクタの使用される電気機器等においては、製造時に接続された第１及び第２のコネクタが故意に外された場合には、例えば導電性の異物がハウジング内に入り込んで各端子が短絡するなど、各コネクタが再度接続されると故障や誤動作を生ずるおそれがあるため、このような再接続を防止する必要がある。しかしながら、前記コネクタでは、一方のコネクタのロック片を係止解除方向に操作しながら各ハウジングを互いに引き離すことにより、各コネクタの接続を容易に解除することができるため、前述のような再接続を防止することができないという問題点があった。
【０００５】
本発明は前記問題点に鑑みてなされたものであり、その目的とするところは、第１及び第２のコネクタの接続が解除された場合でも、その再接続を確実に防止することのできるコネクタを提供することにある。
【課題を解決するための手段】
【０００６】
本発明は前記目的を達成するために、複数の端子を雄型のハウジングで保持してなる第１のコネクタと、第１のコネクタの各端子にそれぞれ接続される複数の端子を雌型のハウジングで保持してなる第２のコネクタとを備え、第１のコネクタのハウジングと第２のコネクタのハウジングとを嵌合することにより、第１のコネクタの各端子と第２のコネクタの各端子とを接続するようにしたコネクタにおいて、前記第１のコネクタのハウジングを、第１のコネクタの各端子を保持する第１のハウジングと、第２のコネクタのハウジングと嵌合する第２のハウジングとから構成し、第１のハウジングを第２のハウジングにコネクタ着脱方向に移動自在に係合するとともに、第１のコネクタには、第１のハウジングを第２のハウジングに対してコネクタ抜去方向の所定位置まで移動させると、第１のハウジングを第２のコネクタの各端子との接続位置へ移動不能にロックするロック手段を設けている。
【０００７】
これにより、第１及び第２のコネクタの接続を解除しようとした場合には、第１のコネクタの第１のハウジングにコネクタ抜去方向への引張力を加えると、第１のハウジングが第２のハウジングに対してコネクタ抜去方向の所定位置まで移動するとともに、第１のハウジング１２がロック手段によって第２のコネクタの各端子との接続位置へ移動不能にロックされることから、第１のコネクタを第２のコネクタから抜去して嵌合を解除した後、第１のコネクタを再度第２のコネクタに嵌合しても、第１のコネクタの第１のハウジングをコネクタ嵌合方向に移動させることができず、第１のコネクタの各端子を第２のコネクタの各端子に接続することが不可能となる。
【発明の効果】
【０００８】
本発明によれば、第１のコネクタを第２のコネクタから抜去して嵌合を解除すると、第１のコネクタを再度第２のコネクタに嵌合しても、第１のコネクタの各端子と第２のコネクタの各端子とを接続不能にすることができるので、例えば第１及び第２のコネクタが故意に外された場合でも、第１及び第２のコネクタの再接続を確実に防止することのできる。
【発明を実施するための最良の形態】
【０００９】
図１乃至図１４は本発明の一実施形態を示すもので、図１及び図２はコネクタの分解斜視図、図３は第１のコネクタの正面図、図４はその平面断面図、図５は図３のＡ−Ａ線矢視方向断面図、図６は図３のＢ−Ｂ線矢視方向断面図、図７はコネクタの嵌合動作を示す斜視図、図８はコネクタの抜去動作を示す斜視図、図９は第１及び第２のコネクタの正面図、図１０はその平面断面図、図１１は図９のＣ−Ｃ線矢視方向断面図、図１２はコネクタの抜去動作を示す平面断面図、図１３は図９のＣ−Ｃ線矢視方向断面におけるコネクタの抜去動作を示す側面図、図１４は図９のＤ−Ｄ線矢視方向断面におけるコネクタの抜去動作を示す側面図である。
【００１０】
このコネクタは、図示しないケーブルに接続される第１のコネクタ１０と、図示しない回路基板に接続される第２のコネクタ２０とからなり、各コネクタ１０，２０を互いに接続することにより、前記ケーブルと回路基板とを電気的に導通させるようになっている。
【００１１】
第１のコネクタ１０は、第２のコネクタ２０に接続される複数の端子１１と、各端子１１を保持する第１のハウジング１２と、第２のコネクタ２０と嵌合する第２のハウジング１３と、第２のコネクタ２０との嵌合状態を保持するロック片１４とを備え、各ハウジング１２，１３によって第１のコネクタ１０のハウジング（雄型）を形成している。また、第１のハウジング１２は第２のハウジング１３にコネクタ着脱方向に移動自在に係合しており、第２のハウジング１３には第１のハウジング１２を所定の移動位置でロックするロック手段としての一対の係合部材１５が設けられている。
【００１２】
各端子１１は、図示を簡略したが一端側に相手側端子を挟持可能に形成された金属板からなり、その他端側には図示しないケーブルが接続されるようになっている。
【００１３】
第１のハウジング１２は断面略四角形状のブロック状の部材からなり、合成樹脂の成型品によって形成されている。第１のハウジング１２にはコネクタ着脱方向に貫通する複数の端子孔１２ａが上下二列に設けられ、各端子孔１２ａ内には各端子１１がそれぞれ保持されるようになっている。第１のハウジング１２の幅方向両側面には側方に突出する爪状の第１の係止部１２ｂがそれぞれ設けられ、各第１の係止部１２ｂは第２のハウジング１３内の側面に係止するようになっている。第１のハウジング１２の下面幅方向両側には、一端を第１のハウジング１２の一端面に開放した溝状の第２の係止部１２ｃがそれぞれ設けられ、各第２の係止部１２ｃには第２のハウジング１３内の係止部材１５が係止するようになっている。また、第１のハウジング１２の下面中央にはコネクタ着脱方向に延びるリブ１２ｄが突設され、リブ１２ｄは第２のハウジング１３内の底面側に係合するようになっている。
【００１４】
第２のハウジング１３は一端を開口した断面略四角形状の箱状の部材からなり、合成樹脂の成型品によって形成されている。第２のハウジング１２にはコネクタ着脱方向に貫通する複数の端子孔１３ａが上下二列に設けられ、各端子孔１３ａ内には第２のコネクタ２０の各端子２１がそれぞれ挿通するようになっている。第２のハウジング１３内の幅方向両側面には第１のハウジング１２の第１の係止部１２ｂをコネクタ着脱方向に移動自在に係合する第１の溝１３ｂが設けられ、第１のハウジング１２が第２のハウジング１３に対してコネクタ抜去方向の所定位置まで移動すると、第１のハウジング１２の第１の係止部１２ｂが第１の溝１３ｂの一端に係止するようになっている。また、第２のハウジング１３内の底面幅方向中央には、第１のハウジング１２のリブ１２ｄをコネクタ着脱方向に移動自在に係合する第２の溝１３ｃが設けられている。第２のハウジング１３の上面にはコネクタ着脱方向に延びる一対のリブ１３ｄが幅方向に間隔をおいて突設され、各リブ１３ｄは第２のコネクタ側に係合するようになっている。また、第２のハウジング１３の幅方向両側面には第２のコネクタ２０側に係合する係合部としての突部１３ｅがそれぞれ設けられ、第２のハウジング１３の上面幅方向中央にはロック片１４を係止する係止部１３ｆが突設されている。更に、第２のハウジング１３内の底面幅方向両側には各係止部材をそれぞれ保持する凹部１３ｇが設けられ、各凹部１３ｇの一端は第２のハウジング１３の端面に開放されている。
【００１５】
ロック片１４は第１のハウジング１２の上面に設けられ、第１のハウジング１２と一体に形成されている。ロック片１４はその長手方向一端側の幅方向両側にそれぞれ第２のコネクタ２０側に係合する爪状の第１の係止部１４ａを有し、その幅方向中央には第２のハウジング１３の係止部１３ｆに係止する爪状の第２の係止部１４ｂが設けられている。ロック片１４は長手方向中央からやや他端寄りを第１のハウジング１２と連設されており、この連設部分の弾性変形により上下方向に傾動可能に形成されている。即ち、ロック片１４の長手方向他端に設けた操作部１４ｃを下方に押圧すると、ロック片１４の一端側の各係止部１４ａ，１４ｂが上方に変位するようになっている。
【００１６】
各係止部材１５は弾性変形可能な金属板を略く字状に屈曲してなり、それぞれ第２のハウジング１３の凹部１３ｇ内に保持されている。この場合、各係止部材１５の下端側は凹部１３ｇの底面側に固定され、その上端側は第２のハウジング１３内の底面よりも上方に突出するようになっている。即ち、各係止部材１５は第１のハウジング１２の下面との当接により下方に圧縮された状態で各ハウジング１２，１３の互いに対向する内側面と外側面との間に配置されており、第１のハウジング１２が第２のハウジング１３に対してコネクタ抜去方向の所定位置まで移動すると、各係止部材１５が前記圧縮状態を解除されてその上端側が第１のハウジング１２の各第２の係止部１２ｃ内に嵌入し、各第２の係止部１２ｃの一端にコネクタ嵌合方向に係止するようになっている。
【００１７】
第２のコネクタ２０は、第１のコネクタ１０に接続される複数の端子２１と、各端子２１を保持するハウジング２２とを備え、ハウジング２２によって雌型ハウジングを形成している。
【００１８】
各端子２１は、一端側を相手側端子に挟持される金属ピンからなり、その他端側は下方に屈曲するように折り曲げられるとともに、図示しない回路基板に接続されるようになっている。
【００１９】
ハウジング２２は一端を開口した断面略四角形状の箱状の部材からなり、合成樹脂の成型品によって形成されている。この場合、ハウジング２２の内形は第１のコネクタ１０の第２のハウジング１３の外形よりもやや大きく形成され、その一端開口部から第１のコネクタ１０の第２のハウジング１３が嵌入されるようになっている。ハウジング２２の他端側には各端子２１が上下二列に配置され、各端子２１はハウジング２２の他端面を貫通することによりハウジング２２に保持されている。ハウジング２２の幅方向両側面には第２のハウジング１３の突部１３ｅを係合する係合部としての孔２２ａがそれぞれ設けられ、ハウジング２２の上面には第２のハウジング１３の各リブ１３ｄをコネクタ着脱方向に移動自在に係合する幅方向一対の溝２２ｂが設けられている。また、ハウジング２２の上面にはロック片１４の各第１の係止部１４ａを係止する幅方向一対の係止部２２ｃが設けられ、その幅方向中央には第２のハウジング１３の係止部１３ｆを受容する切り欠き２２ｄが設けられている。
【００２０】
以上のように構成されたコネクタにおいては、図７(a) に示すように第１のハウジング１２と第２のハウジング１３とを係合した第１のコネクタ１０を第２のコネクタ２０のハウジング２２に挿入すると、図７(b) に示すように第１のコネクタ１０の第２のハウジング１３が第２のコネクタ２０のハウジング２２に嵌合する。これにより、図１０に示すように第１のコネクタ１０の各端子１１と第２のコネクタ２０の各端子２１が互いに接続される。その際、ロック片１４の各第１の係止部１４ａが第２のコネクタ２０の各係止部２２ｃにそれぞれ係止して各コネクタ１０，２０が互いに嵌合状態でロックされるとともに、図１１に示すように第１のコネクタ１０の各突部１３ｅが第２のコネクタ２０の各孔２２ａにそれぞれ係合する。この場合、各突部１３ｅ及び各孔２２ａは、第２のハウジング１３または第２のコネクタ２０のハウジング２２の弾性変形によって互いに係合するとともに、少なくとも第１のハウジング１２を第２のハウジング１２に対して、後述するようにコネクタ抜去方向の所定位置まで移動させる引張力に抗して係合状態を保持するようになっている。
【００２１】
また、第１のコネクタ１０では、第１のハウジング１２が第２のハウジング１３に対してコネクタ抜去方向の所定位置まで移動していない状態、即ち図４乃至図６に示すように第１のハウジング１２がその一端を第２のハウジング１３内の他端に当接させた初期位置に保持されており、図５に示すようにロック片１４の第２の係止部１４ｂが第２のハウジング１３の係止部１３ｆに係止することにより、各ハウジング１２，１３が前記初期位置でロックされている。
【００２２】
ここで、各コネクタ１０，２０の接続を解除しようとした場合には、ロック片１４の操作部１４ｃを下方に押圧操作してロック片１４の各第１の係止部１４ａと第２のコネクタ２０の各係止部２２ｃとの係止状態を解除すると、ロック片１４の第２の係止部１４ｂと第２のハウジング１３の係止部１３ｆとの係止状態も解除されることから、この状態で第１のコネクタ１０の第１のハウジング１２にコネクタ抜去方向への引張力を加えると、第２のハウジング１３は各突部１３ｅと各孔２２ａとの係合により第２のコネクタ２０との嵌合状態を保持されているため、図８(a) 、図１２乃至図１４に示すように第１のハウジング１２が第２のハウジング１３に対してコネクタ抜去方向の所定位置まで移動する。その際、図１２に示すように第１のハウジング１２の第１の係止部１２ｂが第２のハウジング１３の第１の溝１３ｂの一端に係止することにより、第１のハウジング１２の前記所定位置よりもコネクタ抜去方向への移動が規制されるとともに、図１４に示すように各係止部材１５が第１のハウジング１２の各第２の係止部１２ｃの一端に係止することにより、第１のハウジング１２の前記所定位置よりもコネクタ嵌合方向への移動が規制され、この状態で第１のハウジング１２が第２のハウジング１３に対して移動不能にロックされる。その際、図１３に示すように第１のコネクタ１０の各端子１１と第２のコネクタ２０の各端子２１は、互いに接続を解除される位置まで引き離される。
【００２３】
この後、図８(b) に示すように第１のコネクタ１０を第２のコネクタ２０から抜去して嵌合を解除すると、第１のコネクタ１０の第１のハウジング１２は、前述のように第２のハウジング１３に対してコネクタ抜去方向の所定位置まで移動した状態でロックされているため、第１のコネクタ１０を再度第２のコネクタ２０に嵌合しても、第１のコネクタ１０の第１のハウジング１２をコネクタ嵌合方向に移動させることができず、第１のコネクタ１０の各端子１１を第２のコネクタ２０の各端子２１に接続することが不可能となる。
【００２４】
このように、本実施形態のコネクタによれば、第１及び第２の各コネクタ１０，２０の接続を解除しようとした場合には、第１のコネクタ１０の第１のハウジング１２にコネクタ抜去方向への引張力を加えると、第１のハウジング１２を第２のハウジング１３に対してコネクタ抜去方向の所定位置まで移動させるとともに、第１のハウジング１２を第２のコネクタ２０の各端子２１との接続位置へ移動不能にロックするようにしたので、第１のコネクタ１０を第２のコネクタ２０から抜去して嵌合を解除した後、第１のコネクタ１０を再度第２のコネクタ２０に嵌合しても、第１のコネクタ１０の第１のハウジング１２をコネクタ嵌合方向に移動させることが不可能であるため、第１のコネクタ１０の各端子１１と第２のコネクタ２０の各端子２１との再接続を確実に防止することができる。
【００２５】
また、第１のハウジング１２をコネクタ抜去方向の前記所定位置まで移動させると、第２のハウジング１３に固定された一対の係止部材１５を第１のハウジング１２の他方に係止させて第１のハウジング１２の移動を規制するとともに、各係止部材１５を第１及び第２のハウジング１２，１３の互いに対向する内側面と外側面との間に配置したので、各係止部材１５を外部から容易に操作することができず、第１及び第２のハウジング１２，１３のロック状態を確実に保持することができる。
【００２６】
更に、各係止部材１５を弾性変形可能に形成し、第１のハウジング１２がコネクタ抜去方向の前記所定位置まで移動すると、各係止部材１５の上端側が上方に変位して第１のハウジング１２の第２の係止部１２ｃに係止するようにしたので、各ハウジング１２，１３を簡単な構造により確実にロックすることができ、製造上極めて有利である。尚、前記実施形態では各係止部材１５を第２のハウジング１３側に固定したものを示したが、各係止部材１５を第１のハウジング１２側に固定して第２のハウジング１３側に係止させるようにしてもよい。
【００２７】
また、第１のコネクタ１０の第２のハウジング１３に設けた各突部１３ｅと第２のコネクタ２０のハウジング２２に設けた各孔２２ａとを係合させることにより、第２のハウジング１３と第２のコネクタ２０との嵌合状態を保持するとともに、少なくとも第１のハウジング１２を第２のハウジング１３に対してコネクタ抜去方向の前記所定位置まで移動させる引張力に抗して各突部１３ｅと各孔２２ａとの係合状態が保持されるようにしたので、第１のハウジング１２に引張力を加えても第２のハウジング１３が第２のコネクタ２０のハウジング２２から外れることがなく、第１のハウジング１２をコネクタ抜去方向の前記所定位置まで確実に移動させることができる。
【００２８】
この場合、各突部１３ｅ及び各孔２２ａを第２のハウジング１３または第２のコネクタ２０のハウジング２２の弾性変形によって互いに係合するように設けたので、各ハウジング１３，２２を簡単な構造により確実にロックすることができ、製造上極めて有利である。
【００２９】
また、第１のコネクタ１０の第２のハウジング１３に第１のハウジング１２のロック片１４に係止する係止部１３ｆを設け、ロック片１４との係止により第１のコネクタ１０のコネクタ抜去方向への移動を規制するようにしたので、第１のコネクタ１０を第２のコネクタ２０に接続する前に、誤って第１のハウジング１２が第２のハウジング１３に対してコネクタ抜去方向の前記所定位置まで移動されることがなく、通常の接続作業を支障なく行うことができる。また、第１のコネクタ１０を第２のコネクタ２０に接続した後は、ロック片１４を第２のコネクタ２０のハウジング２２との係止状態を解除するように操作すると、第２のハウジング１３の係止部１３ｆとの係止状態が解除されるようにしたので、各コネクタ１０，２０の接続が解除された場合は、第１のコネクタ１０の第１のハウジング１２を第２のハウジング１３に対してコネクタ抜去方向の前記所定位置まで確実に移動させることができる。
【図面の簡単な説明】
【００３０】
【図１】図１は本発明の一実施形態を示すコネクタの分解斜視図
【図２】コネクタの分解斜視図
【図３】第１のコネクタの正面図
【図４】第１のコネクタの平面断面図
【図５】図３のＡ−Ａ線矢視方向断面図
【図６】図３のＢ−Ｂ線矢視方向断面図
【図７】コネクタの嵌合動作を示す斜視図
【図８】コネクタの抜去動作を示す斜視図
【図９】第１及び第２のコネクタの正面図
【図１０】第１及び第２のコネクタの平面断面図
【図１１】図９のＣ−Ｃ線矢視方向断面図
【図１２】コネクタの抜去動作を示す平面断面図
【図１３】図９のＣ−Ｃ線矢視方向断面におけるコネクタの抜去動作を示す側面図
【図１４】図９のＤ−Ｄ線矢視方向断面におけるコネクタの抜去動作を示す側面図
【符号の説明】
【００３１】
１０…第１のコネクタ、１１…端子、１２…第１のハウジング、１３…第２のハウジング、１３ｅ…突部、１３ｆ…係止部、１４…ロック片、１５…係止部材、２０…第２のコネクタ、２１…端子、２２…ハウジング、２２ａ…孔。
【図１】
2005150015.tif 000003
【図２】
2005150015.tif 000004
【図３】
2005150015.tif 000005
【図４】
2005150015.tif 000006
【図５】
2005150015.tif 000007
【図６】
2005150015.tif 000008
【図７】
2005150015.tif 000009
【図８】
2005150015.tif 000010
【図９】
2005150015.tif 000011
【図１０】
2005150015.tif 000012
【図１１】
2005150015.tif 000013
【図１２】
2005150015.tif 000014
【図１３】
2005150015.tif 000015
【図１４】
2005150015.tif 000016